(57)【要約】      （修正有）【課題】異常発生情報が連絡された後の住人等の対応や連絡状況等に関する進捗状況を知らせるルームセキュリティシステムを提供すること。また、帰宅直後における異常発生を知らせるルームセキュリティシステムを提供すること。【解決手段】異常検出部２と、異常情報及び居宅等を特定する特定情報を送信する異常情報送信部３と、異常情報受信部と、異常情報及び特定情報に基づき決定した送信先の通信端末に対して異常発生情報を送信する異常発生情報送信部と、対応要請の有無を含む連絡状況情報及び特定情報を受信する連絡状況情報受信部と、送信先の通信端末６の全部又は一部に連絡状況情報の内容を送信する連絡状況情報送信部を有するルームセキュリティシステム。【選択図】図１
2015088016.tif 000002
【特許請求の範囲】
【請求項１】
居宅、事務所若しくは宿泊施設等の異常を検出する異常検出部と、
前記居宅、事務所若しくは宿泊施設等の内部又はそれらの近傍に設置されるとともに、前記異常検出部と有線又は無線で接続され、前記異常検出部が異常を検出した時に、検出した異常の種別、内容又は検出箇所を識別するための異常情報及び前記居宅、事務所若しくは宿泊施設等を特定するための特定情報を送信する異常情報送信部と、
該異常情報送信部と有線通信回線又は無線通信回線を介して接続され、前記異常情報及び前記特定情報を受信する異常情報受信部と、
受信した前記異常情報に基づいて、異常発生情報を生成する異常発生情報生成部と、
受信した前記特定情報に基づいて、前記異常発生情報を送信する送信先を決定する送信先決定部と、
該送信先決定部で決定された送信先の通信端末に対して前記異常発生情報を送信する異常発生情報送信部と、
前記送信先の通信端末から送信された前記異常発生情報に対する対応要請実行情報又は安否確認実行情報を含む連絡状況情報及び前記特定情報を受信する連絡状況情報受信部と、
前記送信先の通信端末の全部又は一部に対して前記連絡状況情報の内容を送信する連絡状況情報送信部を有する
ルームセキュリティシステム。
【請求項２】
警備会社又は警備員の保有する特定端末から送信された前記居宅、事務所若しくは宿泊施設等の点検情報及び前記特定情報を受信する点検情報受信部と、
受信した前記点検情報を、前記送信先の通信端末の全部又は一部に対して送信する点検情報送信部をさらに備えていることを特徴とする
請求項１に記載のルームセキュリティシステム。
【請求項３】
前記異常検出部が、少なくとも前記居宅、事務所若しくは宿泊施設等のドア又はドア及び窓の状態に関する異常を検出するものであるとともに、
前記通信端末における制御操作又は前記居宅、事務所若しくは宿泊施設等に配備されている制御装置の操作によって、前記異常検出部による前記居宅、事務所若しくは宿泊施設等のドア又はドア及び窓の状態に関する異常検出の実行を制御する異常検出制御部と、
該異常検出制御部が前記居宅、事務所若しくは宿泊施設等のドア又はドア及び窓の状態に関する異常検出の実行を解除した際に、該異常検出の実行が解除されたことを示す検出解除情報及び前記特定情報を送信する検出解除情報送信部と、
前記検出解除情報送信部と前記有線通信回線又は無線通信回線を介して接続され、前記検出解除情報及び前記特定情報を受信する検出解除情報受信部と、
前記通信端末における確認操作又は前記居宅、事務所若しくは宿泊施設等に配備されている確認装置の操作によって、正常に帰宅、入室又は外出したことを示す確認情報及び前記特定情報を送信する確認情報送信部と、
該確認情報送信部と前記有線通信回線又は無線通信回線を介して接続され、前記確認情報及び前記特定情報を受信する確認情報受信部と、
前記検出解除情報受信部が、前記検出解除情報及び前記特定情報を受信してから所定時間経過するまでの間に、前記確認情報受信部が前記確認情報及び前記特定情報を受信しない場合に緊急情報を生成する緊急情報生成部と、
少なくとも前記送信先の通信端末の一部に対して前記緊急情報を送信する緊急情報送信部をさらに備えていることを特徴とする
請求項１又は２に記載のルームセキュリティシステム。
【請求項４】
異常情報送信部から送信された居宅、事務所若しくは宿泊施設等の異常の種別、内容又は検出箇所を識別するための異常情報及び前記居宅、事務所若しくは宿泊施設等を特定するための特定情報を受信する異常情報受信ステップと、
受信した前記異常情報に基づいて、異常発生情報を生成する異常発生情報生成ステップと、
受信した前記特定情報に基づいて、前記異常発生情報を送信する送信先を決定する送信先決定ステップと、
該送信先決定ステップで決定された送信先の通信端末に対して、前記異常発生情報を送信する異常発生情報送信ステップと、
前記送信先の通信端末から送信された前記異常発生情報に対する対応要請実行情報又は安否確認実行情報を含む連絡状況情報及び前記特定情報を受信する連絡状況情報受信ステップと、
前記送信先の通信端末の全部又は一部に対して前記連絡状況情報の内容を送信する連絡状況情報送信ステップをコンピュータに実行させるためのルームセキュリティプログラム。
【請求項５】
警備会社又は警備員の保有する特定端末から送信された前記居宅、事務所若しくは宿泊施設等の点検情報及び前記特定情報を受信する点検情報受信ステップと、
受信した前記点検情報を、前記送信先の通信端末の全部又は一部に対して送信する点検情報送信ステップ部を、さらにコンピュータに実行させるためのステップとして含む
請求項４に記載のルームセキュリティプログラム。
【請求項６】
検出解除情報送信部から送信された前記居宅、事務所若しくは宿泊施設等のドア又はドア及び窓の状態に関する異常検出の実行が解除されたことを示す検出解除情報及び前記特定情報を受信する検出解除情報受信ステップと、
確認情報送信部から送信された正常に帰宅、入室又は外出したことを示す確認情報及び前記特定情報を受信する確認情報受信ステップと、
前記検出解除情報受信ステップにより、前記検出解除情報及び前記特定情報を受信してから所定時間経過するまでの間に、前記確認情報受信ステップによって前記確認情報及び前記特定情報を受信しない場合に緊急情報を生成する緊急情報生成ステップと、
少なくとも前記送信先の通信端末の一部に対して前記緊急情報を送信する緊急情報送信ステップを、さらにコンピュータに実行させるためのステップとして含む
請求項４又は５に記載のルームセキュリティプログラム。
【発明の詳細な説明】
【技術分野】
【０００１】
この発明は、スマートフォンやタブレット端末等の通信機器を利用して、不法侵入や火事等の居宅、事務所若しくは宿泊施設等における異常事態を、その住人、管理者、利用者、近親者等に知らせ、必要に応じて警備や安否の確認を依頼することのできるルームセキュリティシステムに関するものである。
【背景技術】
【０００２】
従来、電話回線やインターネット回線等を利用して、居宅等の警備を行うシステムが警備会社から提供されている。そして、居宅等に配置されたセンサーからの情報を、その住人や近親者等に知らせ、必要に応じて警備や安否の確認を依頼することのできるシステムも提案されている。
例えば、特許文献１（特開２００２−２９８２６８号公報）には、「センターに送られた異常検出情報は、例えばその家の住人の携帯電話に異常発生情報として送られる。その異常発生情報を受信した住人は、自分で対応できないものであれば警備会社などに対して対応を要請する指示情報をセンターに返す。センターでは、その指示情報に基づいて対応可能な警備会社に対応命令を送り、警備会社は、その対応命令に基づいて異常の検出された家に出動するなどして異常に対応する。」（段落０００７）と記載されている。
【先行技術文献】
【特許文献】
【０００３】
【特許文献１】特開２００２−２９８２６８号公報
【発明の概要】
【発明が解決しようとする課題】
【０００４】
しかし、特許文献１記載の情報処理装置は、連絡先は複数箇所であってもよい（段落００１４）としていながら、異常発生情報が連絡された後の住人等の対応や指示等に関する進捗状況が知らされるようになっていないため、異常発生情報が連絡され心配になった近親者等は、状況を確認するために住人や警備会社等に別途連絡をとる必要があった。
また、従来のルームセキュリティシステムは、住人が帰宅してシステムの解除操作を行った後においては、少なくとも人の侵入自体を異常と判断することがないため、帰宅直後に鍵をかける前の時点で押し入られたような場合には、異常発生情報が警備会社や近親者等に送信されないという問題があった。
本発明は、従来のルームセキュリティシステムにおけるこれらの問題を解消し、コストが安いながらも、使い勝手がよく、これまで察知できなかった帰宅直後等における異常発生を確実に知らせることができるようにすることを目的とする。
【課題を解決するための手段】
【０００５】
請求項１に係る発明のルームセキュリティシステムは、居宅、事務所若しくは宿泊施設等の異常を検出する異常検出部と、前記居宅、事務所若しくは宿泊施設等の内部又は近傍に設置されるとともに、前記異常検出部と有線又は無線で接続され、前記異常検出部が異常を検出した時に、検出した異常の種別、内容又は検出箇所を識別するための異常情報及び前記居宅、事務所若しくは宿泊施設等を特定するための特定情報を送信する異常情報送信部と、該異常情報送信部と有線通信回線又は無線通信回線を介して接続され、前記異常情報及び前記特定情報を受信する異常情報受信部と、受信した前記異常情報に基づいて異常発生情報を生成する異常発生情報生成部と、受信した前記特定情報に基づいて前記異常発生情報を送信する送信先を決定する送信先決定部と、該送信先決定部で決定された送信先の通信端末に対して前記異常発生情報を送信する異常発生情報送信部と、前記送信先の通信端末から送信された前記異常発生情報に対する対応要請実行情報又は安否確認実行情報を含む連絡状況情報及び前記特定情報を受信する連絡状況情報受信部と、前記送信先の通信端末の全部又は一部に対して前記連絡状況情報の内容を送信する連絡状況情報送信部を有することを特徴とする。
【０００６】
請求項２に係る発明は、請求項１に記載のルームセキュリティシステムにおいて、警備会社又は警備員の保有する特定端末から送信された前記居宅、事務所若しくは宿泊施設等の点検情報及び前記特定情報を受信する点検情報受信部と、受信した前記点検情報を、前記送信先の通信端末の全部又は一部に対して送信する点検情報送信部をさらに備えていることを特徴とする。
【０００７】
請求項３に係る発明は、請求項１又は２に記載のルームセキュリティシステムにおいて、前記異常検出部が、少なくとも前記居宅、事務所若しくは宿泊施設等のドア又はドア及び窓の状態に関する異常を検出するものであるとともに、前記通信端末における制御操作又は前記居宅、事務所若しくは宿泊施設等に配備されている制御装置の操作によって、前記異常検出部による前記居宅、事務所若しくは宿泊施設等のドア又はドア及び窓の状態に関する異常検出の実行を制御する異常検出制御部と、該異常検出制御部が前記居宅、事務所若しくは宿泊施設等のドア又はドア及び窓の状態に関する異常検出の実行を解除した際に、該異常検出の実行が解除されたことを示す検出解除情報及び前記特定情報を送信する検出解除情報送信部と、前記検出解除情報送信部と前記有線通信回線又は無線通信回線を介して接続され、前記検出解除情報及び前記特定情報を受信する検出解除情報受信部と、前記通信端末における確認操作又は前記居宅、事務所若しくは宿泊施設等に配備されている確認装置の操作によって、正常に帰宅、入室又は外出したことを示す確認情報及び前記特定情報を送信する確認情報送信部と、該確認情報送信部と前記有線通信回線又は無線通信回線を介して接続され、前記確認情報及び前記特定情報を受信する確認情報受信部と、前記検出解除情報受信部が前記検出解除情報及び前記特定情報を受信してから所定時間経過するまでの間に、前記確認情報受信部が前記確認情報及び前記特定情報を受信しない場合に緊急情報を生成する緊急情報生成部と、少なくとも前記送信先の通信端末の一部に対して前記緊急情報を送信する緊急情報送信部をさらに備えていることを特徴とする。
【０００８】
請求項４に係る発明のルームセキュリティプログラムは、異常情報送信部から送信された居宅、事務所若しくは宿泊施設等の異常の種別、内容又は検出箇所を識別するための異常情報及び前記居宅、事務所若しくは宿泊施設等を特定するための特定情報を受信する異常情報受信ステップと、受信した前記異常情報に基づいて、異常発生情報を生成する異常発生情報生成ステップと、受信した前記特定情報に基づいて、前記異常発生情報を送信する送信先を決定する送信先決定ステップと、該送信先決定ステップで決定された送信先の通信端末に対して、前記異常発生情報を送信する異常発生情報送信ステップと、前記送信先の通信端末から送信された前記異常発生情報に対する対応要請実行情報又は安否確認実行情報を含む連絡状況情報及び前記特定情報を受信する連絡状況情報受信ステップと、前記送信先の通信端末の全部又は一部に対して前記連絡状況情報の内容を送信する連絡状況情報送信ステップをコンピュータに実行させるためのものである。
【０００９】
請求項５に係る発明は、請求項４に記載のルームセキュリティプログラムに加えて、警備会社又は警備員の保有する特定端末から送信された前記居宅、事務所若しくは宿泊施設等の点検情報及び前記特定情報を受信する点検情報受信ステップと、受信した前記点検情報を、前記送信先の通信端末の全部又は一部に対して送信する点検情報送信ステップ部を、さらにコンピュータに実行させるためのものである。
【００１０】
請求項６に係る発明は、請求項４又は５に記載のルームセキュリティプログラムに加えて、検出解除情報送信部から送信された前記居宅、事務所若しくは宿泊施設等のドア又はドア及び窓の状態に関する異常検出の実行が解除されたことを示す検出解除情報及び前記特定情報を受信する検出解除情報受信ステップと、確認情報送信部から送信された正常に帰宅、入室又は外出したことを示す確認情報及び前記特定情報を受信する確認情報受信ステップと、前記検出解除情報受信ステップにより前記検出解除情報及び前記特定情報を受信してから所定時間経過するまでの間に、前記確認情報受信ステップによって前記確認情報及び前記特定情報を受信しない場合に緊急情報を生成する緊急情報生成ステップと、少なくとも前記送信先の通信端末の一部に対して前記緊急情報を送信する緊急情報送信ステップを、さらにコンピュータに実行させるためのものである。
【発明の効果】
【００１１】
請求項１に係る発明のルームセキュリティシステムによれば、従来のルームセキュリティシステムの構成に加えて、送信先の通信端末から送信された異常発生情報に対する対応要請実行情報又は安否確認実行情報を含む連絡状況情報及び特定情報を受信する連絡状況情報受信部と、送信先の通信端末の全部又は一部に対して連絡状況情報の内容を送信する連絡状況情報送信部を有しているので、警備対象である居宅、事務所若しくは宿泊施設等の部屋内やそれらの近傍に設置された異常検出部からの異常情報に基づいて送信された異常発生情報を受けて、異常発生情報を受けた関係者が自ら点検するか、警備会社に対応要請するかを選択でき、無駄な出動を減らして警備にかかるコストを低く押さえることができる。
また、異常情報の送信を受けた通信端末の全部又は一部（例えば、事前に指定した通信端末）において、対応要請が実行されたこと又は関係者が自ら点検や電話連絡等を行って無事が確認できたことが知らされ、関係者にその後の状況を迅速に周知することができる。
さらに、連絡状況情報の内容を送信する通信端末を事前に指定できるようにすることにより、注意喚起やできる範囲での協力をお願いする目的で異常発生情報を送信する他人（例えば、近隣者）の通信端末には、いたずらに多数の情報を流さないようにすることができる。
【００１２】
請求項２に係る発明のルームセキュリティシステムによれば、請求項１に係る発明による効果に加え、警備会社又は警備員の保有する特定端末から送信された居宅、事務所若しくは宿泊施設等の点検情報及び特定情報を受信する点検情報受信部と、受信した点検情報を、送信先の通信端末の全部又は一部に対して送信する点検情報送信部をさらに備えているので、異常情報の送信を受けた通信端末の全部又は一部において、対応を要請した後に警備会社が居宅、事務所若しくは宿泊施設等を点検した結果を即時に確認することができる。
【００１３】
請求項３に係る発明のルームセキュリティシステムによれば、請求項１又は２に係る発明による効果に加え、異常検出部が、少なくとも居宅、事務所若しくは宿泊施設等のドア又はドア及び窓の状態に関する異常を検出するものであるとともに、通信端末における制御操作又は居宅、事務所若しくは宿泊施設等に配備されている制御装置の操作によって、異常検出部による居宅、事務所若しくは宿泊施設等のドア又はドア及び窓の状態に関する異常検出の実行を制御する異常検出制御部と、異常検出制御部が居宅、事務所若しくは宿泊施設等のドア又はドア及び窓の状態に関する異常検出の実行を解除した際に、異常検出の実行が解除されたことを示す検出解除情報及び特定情報を送信する検出解除情報送信部と、検出解除情報送信部と有線通信回線又は無線通信回線を介して接続され、検出解除情報及び特定情報を受信する検出解除情報受信部と、通信端末における確認操作又は居宅、事務所若しくは宿泊施設等に配備されている確認装置の操作によって、正常に帰宅、入室又は外出したことを示す確認情報及び特定情報を送信する確認情報送信部と、確認情報送信部と有線通信回線又は無線通信回線を介して接続され、確認情報及び特定情報を受信する確認情報受信部と、検出解除情報受信部が検出解除情報及び特定情報を受信してから所定時間経過するまでの間に、確認情報受信部が確認情報及び特定情報を受信しない場合に緊急情報を生成する緊急情報生成部と、少なくとも送信先の通信端末の一部に対して緊急情報を送信する緊急情報送信部をさらに備えているので、帰宅直後に鍵をかける前の時点で居宅や部屋に押し入られた場合や外出するためにドアを開けた直後に襲われた場合においても、異常発生を確実に検知して緊急情報及び特定情報の内容が少なくとも一部の関係者（例えば、近隣者）の有する通信端末に送信され、救助に来てもらえる可能性を高めることができる。
【００１４】
請求項４に係る発明のルームセキュリティプログラムによれば、従来のルームセキュリティプログラムのステップに加えて、送信先の通信端末から送信された異常発生情報に対する対応要請実行情報又は安否確認実行情報を含む連絡状況情報及び特定情報を受信する連絡状況情報受信ステップと、送信先の通信端末の全部又は一部に対して連絡状況情報の内容を送信する連絡状況情報送信ステップを有しているので、警備対象である居宅、事務所若しくは宿泊施設等の部屋に関する異常発生情報を受けた関係者が自ら点検するか、警備会社に対応要請するかを選択でき、無駄な出動を減らして警備にかかるコストを低く押さえることができる。
また、異常情報の送信を受けた通信端末の全部又は一部（例えば、事前に指定した通信端末）において、対応要請が実行されたこと又は関係者が自ら点検や電話連絡等を行って無事が確認できたことが知らされ、関係者にその後の状況を迅速に周知することができる。
さらに、連絡状況情報の内容を送信する通信端末を事前に指定できるようにすることにより、注意喚起やできる範囲での協力をお願いする目的で異常発生情報を送信する他人（例えば、近隣者）の通信端末には、いたずらに多数の情報を流さないようにすることができる。
【００１５】
請求項５に係る発明のルームセキュリティプログラムによれば、請求項４に係る発明による効果に加え、警備会社又は警備員の保有する特定端末から送信された居宅、事務所若しくは宿泊施設等の点検情報及び特定情報を受信する点検情報受信ステップと、受信した点検情報を、送信先の通信端末の全部又は一部に対して送信する点検情報送信ステップをさらに備えているので、異常情報の送信を受けた通信端末の全部又は一部において、対応を要請した後に警備会社が居宅、事務所若しくは宿泊施設等を点検した結果を即時に確認することができる。
【００１６】
請求項６に係る発明のルームセキュリティプログラムによれば、請求項４又は５に係る発明による効果に加え、検出解除情報送信部から送信された居宅、事務所若しくは宿泊施設等のドア又はドア及び窓の状態に関する異常検出の実行が解除されたことを示す検出解除情報及び特定情報を受信する検出解除情報受信ステップと、確認情報送信部から送信された正常に帰宅、入室又は外出したことを示す確認情報及び特定情報を受信する確認情報受信ステップと、検出解除情報受信ステップにより検出解除情報及び特定情報を受信してから所定時間経過するまでの間に、確認情報受信ステップによって確認情報及び特定情報を受信しない場合に緊急情報を生成する緊急情報生成ステップと、少なくとも送信先の通信端末の一部に対して緊急情報及び特定情報の内容を送信する緊急情報送信ステップをさらに備えているので、帰宅直後に鍵をかける前の時点で居宅や部屋に押し入られた場合や外出するためにドアを開けた直後に襲われた場合においても、異常発生を確実に検知して緊急情報等が少なくとも一部の関係者（例えば、近隣者）の有する通信端末に送信され、救助に来てもらえる可能性を高めることができる。
【図面の簡単な説明】
【００１７】
【図１】実施例１に係るルームセキュリティシステムの概念図。
【図２】実施例１の機能ブロックの一例を示す図。
【図３】実施例２に係るルームセキュリティシステムの概念図。
【図４】実施例２の機能ブロックの一例を示す図。
【発明を実施するための形態】
【００１８】
以下、実施例によって本発明の実施形態を説明する。
【実施例１】
【００１９】
図１は、実施例１のルームセキュリティシステムの概念図である。
まず、センター４のコンピュータ５には、本発明のルームセキュリティシステムを動作させるためのルームセキュリティプログラムがインストールされ、居宅、事務所若しくは宿泊施設等１の内部又はそれらの近傍には、煙の発生や留守宅への無断侵入等の異常を検出する異常検出部２及び異常情報送信部３が設置され、警備会社又は警備員が保有する特定端末７（警備会社のコンピュータ、担当警備員の保有する携帯端末又は居宅、事務所若しくは宿泊施設等１の近隣を巡回している警備員若しくは警備車両の保有する携帯端末等）には、警備用アプリケーションプログラムがインストールされ、異常検出部２が異常を検出した時に異常発生情報が送信される送信先の通信端末６（居宅、事務所若しくは宿泊施設等の住人、管理者、利用者及びそれらの近親者や近隣者等の関係者が保有するスマートフォンやタブレット端末等）には、契約者用アプリケーションプログラムがインストールされている。
【００２０】
そして、異常検出部２が居宅、事務所若しくは宿泊施設等１に関する異常を検出した場合の情報や処理の流れは以下のとおりである。
（１）異常情報送信部３から、検出した異常の種別、内容又は検出箇所を識別するための異常情報及び居宅、事務所若しくは宿泊施設等１を特定するための特定情報（ＩＤ番号等）を、インターネット回線を介してセンター４に設置されているコンピュータ５に送信する。
（２）異常情報送信部３から、異常情報及び特定情報を受信したセンター４のコンピュータ５は、異常情報に基づいて異常発生情報を生成するとともに、特定情報に基づいてその異常発生情報を送信する送信先を決定し、送信先の通信端末６に対して異常発生情報を送信する。
（３）異常発生情報を受信した通信端末６は、特定の音、振動、光又は表示によって、その受信を報知する。その報知は、少なくとも後述する連絡状況情報や点検情報が送信される通信端末６においては、マナーモードになっている時であっても、特定の音を発生できるようにした方が良い。
（４）異常発生情報の受信に気づいた関係者は、警備会社に対応要請する、自ら点検する、他の関係者と連絡を取って確認する、又は近隣者に依頼して点検してもらう等の対処を行い、通信端末６を用いて対処した結果としての対応要請実行情報又は安否確認実行情報を含む連絡状況情報を作成し送信操作を行う。そうすると、通信端末６はコンピュータ５にその連絡状況情報及び特定情報を送信する。
なお、通信端末６にインストールされた契約者用アプリケーションプログラムによって、画面上に複数の選択肢を表示し、関係者が状況に適合するものをワンタッチで選べるようして、連絡状況情報の作成をサポートできるようにしている。
（５）連絡状況情報及び特定情報を受信したコンピュータ５は、受信した連絡状況情報が対応要請実行情報を含む場合に、異常情報の内容、特定情報の内容（居宅、事務所若しくは宿泊施設等１の住所、地図、ナビ情報等）及び対応命令を含む対応命令情報を生成し、警備会社又は警備員が保有する特定端末７に対してその対応命令情報を送信する。
対応命令情報を受信した担当警備員等の保有する特定端末７は、特定の音、振動、光又は表示によってその受信を報知するが、その報知は、特定端末７がマナーモードになっている時であっても、特定の音を発生できるようにしてある。
（６）関係者からの対応要請を受けた警備会社は、警備員を出動させ、出動した警備員は、保有する特定端末７に表示される異常情報の内容、特定情報の内容及び対応命令に従って行動する。
（７）連絡状況情報及び特定情報を受信したコンピュータ５は、受信した連絡状況情報の内容を送信先の通信端末の全部又は一部に対して送信する。
（８）出動した警備員は、居宅、事務所若しくは宿泊施設等１の点検を行い、特定端末７を用いて、点検した結果に関する点検情報を作成し送信操作を行う。そうすると、特定端末７はコンピュータ５にその点検情報及び特定情報を送信する。
（９）特定端末７からの点検情報及び特定情報を受信したコンピュータ５は、受信した点検情報の内容を送信先の通信端末６の全部又は一部に対して送信する。
【００２１】
図２は、実施例１のルームセキュリティシステムのうち、センター４に設置されているコンピュータ５が備える機能ブロック１００の一例を示す図である。
この図にあるように、この機能ブロック１００は、異常情報送信部３から送信された異常情報及び特定情報を受信する異常情報受信部１０１と、受信した異常情報に基づいて異常発生情報を生成する異常発生情報生成部１０２と、受信した特定情報に基づいて異常発生情報を送信する送信先を決定する送信先決定部１０３と、送信先決定部１０３で決定された送信先の通信端末６に対して異常発生情報を送信する異常発生情報送信部１０４と、送信した異常発生情報に対して通信端末６で作成され送信された連絡状況情報（対応要請実行情報又は安否確認実行情報を含む）及び特定情報を受信する連絡状況情報受信部１０５と、受信した連絡状況情報が対応要請実行情報を含む場合に、異常情報の内容、特定情報の内容及び対応命令を含む対応命令情報を生成する対応命令情報生成部１０６と、警備会社又は警備員が保有する特定端末７に対して対応命令情報を送信する対応命令情報送信部１０７と、送信先の通信端末６の全部又は一部に対して連絡状況情報の内容を送信する連絡状況情報送信部１０８と、特定端末７から送信された居宅、事務所若しくは宿泊施設等の点検情報及び特定情報を受信する点検情報受信部１０９と、受信した点検情報を送信先の通信端末の全部又は一部に対して送信する点検情報送信部１１０を有している。
【００２２】
具体的には、異常情報送信部３から送信された異常情報及び特定情報を受信する異常情報受信ステップと、受信した異常情報に基づいて異常発生情報を生成する異常発生情報生成ステップと、受信した特定情報に基づいて異常発生情報を送信する送信先を決定する送信先決定ステップと、送信先決定ステップで決定された送信先の通信端末６に対して異常発生情報を送信する異常発生情報送信ステップと、送信した異常発生情報に対して通信端末６で作成され送信された連絡状況情報（対応要請実行情報又は安否確認実行情報を含む）及び特定情報を受信する連絡状況情報受信ステップと、受信した連絡状況情報が対応要請実行情報を含む場合に、異常情報の内容、特定情報の内容及び対応命令を含む対応命令情報を生成する対応命令情報生成ステップと、警備会社又は警備員が保有する特定端末７に対して対応命令情報を送信する対応命令情報送信ステップと、送信先の通信端末６の全部又は一部に対して連絡状況情報の内容を送信する連絡状況情報送信ステップと、特定端末７から送信された居宅、事務所若しくは宿泊施設等の点検情報及び特定情報を受信する点検情報受信ステップと、受信した点検情報を送信先の通信端末の全部又は一部に対して送信する点検情報送信ステップをコンピュータ５に実行させるルームセキュリティプログラムによって達成される。
【実施例２】
【００２３】
図３は、実施例２のルームセキュリティシステムの概念図である。
実施例１の概念図と相違しているのは、異常検出部２が少なくとも居宅、事務所若しくは宿泊施設等１のドア又はドア及び窓の状態に関する異常を検出するものとなっており、異常検出部２が作動し続けると、住人や管理者等が出入りする場合においても、異常検出を実行してしまうことになるので、通信端末６の操作に応じて居宅、事務所若しくは宿泊施設等のドア又はドア及び窓の状態に関する異常検出部２の作動を制御（解除又は復帰）する異常検出制御部８と、異常検出制御部８が異常検出の実行を解除した後、所定時間経過するまでの間に通常は操作される確認装置９と、異常検出制御部８が異常検出の実行を解除した時に検出解除情報及び特定情報をコンピュータ５に送信する検出解除情報送信部１０と、確認装置９又は通信端末６による確認操作が実行された時に確認情報及び特定情報をコンピュータ５に送信する確認情報送信部１１を備えている点である。
【００２４】
そして、異常検出制御部８が異常検出の実行を解除してから所定時間経過しても確認装置９又は通信端末６による確認操作が実行されない場合の情報や処理の流れは以下のとおりである。
なお、異常検出部２の作動中に異常を検出した場合の情報や処理の流れは、実施例１と同じ（１）〜（９）であるので、その説明は省略する。
（１０）異常検出制御部８がドア又はドア及び窓の状態に関する異常検出の実行を解除した際に、検出解除情報送信部１０から検出解除情報及び特定情報を、インターネット回線を介してセンター４に設置されているコンピュータ５に送信する。
（１１）異常検出制御部８又は操作した通信端末６が、音、振動、光又は表示による報知を行い、確認装置９又は通信端末６による確認操作の実行を促す。
（１２）確認装置９又は通信端末６による確認操作が実行されないと、居宅、事務所若しくは宿泊施設等１に設置されている確認情報送信部１１から、確認情報及び特定情報がコンピュータ５に送信されない。
（１３）検出解除情報送信部１０から検出解除情報及び特定情報を受信したコンピュータ５は、その受信後所定時間経過するまでの間に、確認情報及び同一の特定情報を受信したか否かを判断する。
（１４）検出解除情報及び特定情報の受信後所定時間経過するまでの間に、確認情報及び同一の特定情報を受信しない場合、コンピュータ５は緊急情報を生成し、その緊急情報を送信先の通信端末６の全部又は一部（近隣者等）の通信端末６に対して送信する。
（１５）緊急情報を受信した通信端末６は、特定の音、振動、光又は表示によってその受信を報知するが、その報知は、少なくとも後述する連絡状況情報や点検情報が送信される通信端末６においては、マナーモードになっている時であっても、特定の音を発生できるようにした方が良い。
（１６）緊急情報等の受信に気づいた関係者は、緊急情報に基づいて点検や救助活動を行うことができる。
（１７）点検や救助活動を行った関係者は、通信端末６を用いて、点検や救助活動した結果に関する連絡状況情報を作成し送信操作を行うことができる。送信操作が行われると、通信端末６はコンピュータ５にその連絡状況情報及び特定情報を送信する。
（１８）連絡状況情報及び特定情報を受信したコンピュータ５は、受信した連絡状況情報の内容を送信先の通信端末の全部又は一部に対して送信する。
【００２５】
図４は、実施例２のルームセキュリティシステムのうち、センター４に設置されているコンピュータ５が備える機能ブロック２００の一例を示す図である。
この図に示されるように、機能ブロック２００は、実施例１の機能ブロック１００に加えて、居宅、事務所若しくは宿泊施設等１に設置されている検出解除情報送信部１０から送信された検出解除情報及び特定情報を受信する検出解除情報受信部２０１と、同じく居宅、事務所若しくは宿泊施設等１に設置されている確認情報送信部１１から送信された確認情報及び特定情報を受信する確認情報受信部２０２と、検出解除情報受信部２０１が検出解除情報及び特定情報を受信してから所定時間経過するまでの間に、確認情報受信部２０２が確認情報及び同じ特定情報を受信しない場合に緊急情報を生成する緊急情報生成部２０３と、少なくとも一部の通信端末６に対して緊急情報及び特定情報の内容を送信する緊急情報送信部２０４を有している。
【００２６】
具体的には、実施例１のルームセキュリティプログラムに加えて、居宅、事務所若しくは宿泊施設等１に設置されている検出解除情報送信部１０から送信された検出解除情報及び特定情報を受信する検出解除情報受信ステップと、同じく居宅、事務所若しくは宿泊施設等１に設置されている確認情報送信部１１から送信された確認情報及び特定情報を受信する確認情報受信ステップと、検出解除情報受信ステップで検出解除情報及び特定情報の受信を確認してから所定時間経過するまでの間に、確認情報受信ステップで確認情報及び同じ特定情報の受信を確認しない場合に緊急情報を生成する緊急情報生成ステップと、少なくとも一部の通信端末６に対して緊急情報及び特定情報の内容を送信する緊急情報送信ステップをコンピュータ５に実行させるルームセキュリティプログラムによって達成される。
【００２７】
実施例１、２のルームセキュリティシステム及びルームセキュリティプログラムに関する変形例を列記する。
（１）実施例１、２のルームセキュリティシステムにおいては、連絡状況情報が対応要請実行情報を含む場合に、対応命令情報を生成する対応命令情報生成部１０６と、警備会社又は警備員が保有する特定端末７に対してその対応命令情報を送信する対応命令情報送信部１０７を有しているが、対応命令情報の送信以前に関係者から警備会社に対して対応要請がなされているので、対応命令情報生成部１０６及び対応命令情報送信部１０７は省略することができる。
また、実施例１、２のルームセキュリティプログラムも同様に、対応命令情報生成ステップ及び対応命令情報送信ステップを省略することができる。
なお、実施例１、２の場合、関係者は警備会社に対応要請してから連絡状況情報を作成して送信するが、警備会社に直接は対応要請せずに、対応要請依頼を含む連絡状況情報を作成して送信するようにしても良い。
（２）実施例１、２のルームセキュリティシステムにおいては、特定端末７から送信された居宅、事務所若しくは宿泊施設等の点検情報及び特定情報を受信する点検情報受信部１０９と、受信した点検情報を送信先の通信端末の全部又は一部に対して送信する点検情報送信部１１０を有しているが、警備員が対応を要請した関係者に電話等で点検結果を報告すれば、報告を受けた関係者が連絡状況情報を送信することで他の関係者に状況を周知できるので、点検情報受信部１０９及び点検情報送信部１１０は省略することができる。
また、実施例１、２のルームセキュリティプログラムも同様に、点検情報受信ステップ及び点検情報送信ステップを省略することができる。
変形例（１）と（２）を合わせて、対応命令情報生成部１０６、対応命令情報送信部１０７、点検情報受信部１０９及び点検情報送信部１１０を省略すれば、実施例１、２の情報や処理の流れにおける（５）、（６）の後半、（８）及び（９）が省かれ、コンピュータ５と特定端末７との間における情報の送受信が全くなくなるので、特定端末７は不要となり、かつ、コンピュータ５が備える機能ブロック１００又は２００、すなわちルームセキュリティプログラムを小規模のものとすることができる。
そのため、ルームセキュリティシステム全体を軽くすることができるとともに、そのシステムを利用した警備は警備業法上の機械警備の範疇外のものとなるので、設備投資にかかる費用、保守・管理・運営等にかかるランニングコストを低減でき、延いては利用者が支払う契約料を安くすることができる。
（３）実施例１、２においては、連絡状況情報や点検情報を全部又は一部の通信端末６に送信するが、一部の通信端末６に送信する場合においては、少なくとも連絡状況情報及び特定情報を送信した通信端末６に対しては、連絡状況情報の内容が送られるようにするとより良い。
そうすることにより、連絡状況情報を送信した関係者は、送信した連絡状況情報がセンター４に届いたことや、警備員が点検した結果の内容を確認することができる。
（４）実施例１、２の通信端末６における情報の送受信は、コンピュータ５から異常発生情報を受信し、コンピュータ５に対して連絡状況情報及び特定情報を送信し、場合によっては他の通信端末６から送信された連絡状況情報の内容を受信するだけであったが、ＳＮＳ（ソーシャルネットワーキングサービス）を用いて受信した異常発生情報や連絡状況情報を、予め設定した友人等に転送できるようにしても良い。そうすることで、救助や支援の可能性をさらに拡大させることができ、ルームセキュリティシステムの普及を図ることもできる。
また、コンピュータ５で警察署や警備会社が作成した安全情報、防犯情報及び交通情報や行政機関等が作成した気象情報、防災情報、緊急情報及びイベント情報等を収集し、通信端末６が登録している地域や興味別に配信する情報を選択するとともに、情報の緊急度に応じて強制的に又はアプリケーションプログラムを立ち上げた時に、選択した情報を表示したり音声や振動により報知したりしても良い。
そうすることにより、このシステムの利便性をさらに高めることができる。
（５）実施例２においては、緊急情報は全部又は一部の通信端末６に送信されるが、特定端末７に緊急情報及び特定情報の内容が送信されるようにしても良い。
そうした場合、緊急情報等を受信した特定端末７は、特定の音、振動、光又は表示によってその受信を報知し、緊急情報等の受信に気づいた担当警備員等は、緊急情報及び特定情報の内容に基づいて直ちに出動するので、確実に救助に来てもらうことができる。
（６）実施例１、２において、通信端末６や救助要請スイッチの操作によって救助要請情報及び特定情報をコンピュータ５に送信する救助要請送信部を追加するとともに、救助要請情報及び特定情報を受信したコンピュータ５は、実施例２や上記変形例（５）の緊急情報生成部２０３及び緊急情報送信部２０４と同様に、緊急情報を全部又は一部の通信端末６、さらに加えて緊急情報及び特定情報の内容を特定端末７に送信するようにしても良い。
そうすることにより、住人等に緊急事態が発生した時、救助に来てもらえる可能性を高めることができ、また、特定端末７に送信するようにした場合、緊急情報等の受信に気づいた担当警備員等は、緊急情報及び特定情報の内容に基づいて直ちに出動するので、確実に救助に来てもらうことができる。
なお、救助要請スイッチは、めざまし時計、置物、人形、木刀や刺叉等の武器等に設けておくと、犯人に見つかりにくく住人等には場所を覚えやすい、室内の雰囲気を和ませることができる、武器を持つと同時にスイッチ操作ができるといった効果が得られる。
（７）実施例１、２の異常検出部２が、さらに部屋内部での人の動きを検出する機能を備えるとともに、異常検出部２が所定日数（例えば、２日間以上）人の動きを検出しなかった時に、警戒情報及び特定情報をコンピュータ５に送信するようにしても良い。ただし、長期不在の時には警戒情報が送信されないように設定することを可能とする。
そうすることにより、孤独死等の事故を未然に防止することができる。
なお、外出中においては人の動きを検出すると異常情報が送信されるが、在宅中においては人の動きを検出しても異常情報は送信されないように設定する。
（８）実施例２の異常検出制御部８は、通信端末６の操作に応じて居宅、事務所若しくは宿泊施設等のドア又はドア及び窓の状態に関する異常検出部２の作動を制御するが、通信端末６の有する情報発信機能を用いて、通信端末６を操作することなく、異常検出制御部８に近づけるだけで、異常検出部２の作動を制御できるようにすると使い勝手が良くなる。
（９）実施例２の異常検出制御部８は、通信端末６の操作に応じて居宅、事務所若しくは宿泊施設等のドア又はドア及び窓の状態に関する異常検出部２の作動を制御するが、異常検出制御部８自体に設けたスイッチやリモコン装置の操作に応じて、異常検出部２の作動を制御するようにしても良い。
そうすることにより、通信端末６の故障や紛失の際にも異常検出制御部８を操作でき、また、通信端末６を保有していない子供等も異常検出制御部８の操作が可能となる。
また、リモコン装置には、上記変形例（６）における救助要請スイッチの機能を追加しても良い。
（１０）実施例２や変形例（８）の異常検出制御部８は、通信端末６、スイッチ又はリモコン装置の操作に応じて居宅、事務所若しくは宿泊施設等のドア又はドア及び窓の状態に関する異常検出部２の作動を解除又は復帰させるが、解除操作がされた後、復帰操作がされなくても確認装置９の操作がされた時点で異常検出部２の作動を復帰するようにしても良い。
さらに、復帰操作及び確認装置９の操作がいずれもされなかった場合にも、異常検出の実行を解除してから所定時間以上が経過したことを契機に異常検出部２の作動を復帰するようにするとより良い。
そうすることにより、異常検出制御部８の復帰操作を忘れても、異常検出の実行が自動的に復帰するのでより安全となり、また、確認装置９の操作がなくて作動が復帰し、その後、ドア又はドア及び窓の状態に関する異常が検出された場合には、特別緊急情報を送信する等の対策を講ずることが可能となる。
【符号の説明】
【００２８】
１  居宅、事務所若しくは宿泊施設等
２  異常検出部      ３  異常情報送信部
４  センター      ５  コンピュータ
６  通信端末      ７  特定端末
８  異常検出制御部      ９  確認装置
１０  検出解除情報送信部      １１  確認情報送信部  
１００  実施例１のコンピュータ５が備える機能ブロック
１０１  異常情報受信部      １０２  異常発生情報生成部
１０３  送信先決定部      １０４  異常発生情報送信部
１０５  連絡状況情報受信部      １０６  対応命令情報生成部
１０７  対応命令情報送信部      １０８  連絡状況情報送信部
１０９  点検情報受信部      １１０  点検情報送信部
２００  実施例２のコンピュータ５が備える機能ブロック
２０１  検出解除情報受信部      ２０２  確認情報受信部
２０３  緊急情報生成部      ２０４  緊急情報送信部
【図１】
2015088016.tif 000003
【図２】
2015088016.tif 000004
【図３】
2015088016.tif 000005
【図４】
2015088016.tif 000006